(57)【要約】 開口部を有する本体と、前記開口部を介して前記本体の内部に対して出入りするスポイト管を有し、前記本体に螺合されるスポイトとを含むスポイト式化粧品容器を提供することである。前記スポイトは、前記スポイト管が結合されたキャップ部と、前記キャップ部の上部に離隔して設けられた出没式ボタンと、前記出没式ボタンと前記キャップ部との間に設けられた弾性部材と、前記出没式ボタンを取り囲むように設けられたカム部とを含んでなり、前記出没式ボタンおよび前記カム部のいずれか一方にはカム突起が設けられ、他方には前記カム突起を斜め方向に案内する斜め案内部が設けられることにより、前記キャップ部の回転を前記出没式ボタンの昇降に転換することを特徴とする。
2014505493.tif 000002
【特許請求の範囲】
【請求項１】
開口部を有する本体と、前記開口部を介して前記本体の内部に対して出入りするスポイト管を有し、前記本体に螺合されるスポイトとを含むスポイト式化粧品容器において、
前記スポイトを前記本体に螺合するときは前記スポイト管に連係された出没式ボタンが垂直に下降してスポイト管内の空気を本体の内部へ排出し、前記本体に螺合された前記スポイトを前記本体から分離するときはそれに伴って内部の弾性復元力によって前記出没式ボタンが上昇して前記本体内の化粧品を前記スポイト管内に吸い上げ、
前記スポイトは、前記スポイト管が結合されたキャップ部と、前記キャップ部の上部に離隔して設けられた出没式ボタンと、前記出没式ボタンと前記キャップ部との間に設けられた弾性部材と、前記出没式ボタンを取り囲むように設けられたカム部とを含んでなり、
前記出没式ボタンおよび前記カム部のいずれか一方にはカム突起が設けられ、他方には前記カム突起を斜め方向に案内する斜め案内部が設けられることにより、前記キャップ部の回転を前記出没式ボタンの昇降に転換することを特徴とする、スポイト式化粧品容器。
【請求項２】
前記カム突起が前記出没式ボタンに設けられ、前記斜め案内部が前記カム部に設けられたことを特徴とする、請求項１に記載のスポイト式化粧品容器。
【請求項３】
前記キャップ部が、
前記本体との螺合のために前記キャップ部が回転すると、 前記カム突起が前記斜め案内部によって案内されるにつれて前記カム突起を垂直方向に案内する垂直案内部が設けられた内部キャップと、前記内部キャップとの間に前記カム部が備えられるように前記カム部を取り囲んで前記内部キャップに結合された外部キャップとを含んでなることを特徴とする、請求項２に記載のスポイト式化粧品容器。
【請求項４】
前記弾性部材がバネを含むことを特徴とする、請求項１に記載のスポイト式化粧品容器。
【請求項５】
前記弾性部材がゴムおよびシリコンのいずれか一つの弾性材質であることを特徴とする、請求項１に記載のスポイト式化粧品容器。
【請求項６】
前記本体に設けられ、前記スポイト管に付着した化粧品を拭き取るワイパーをさらに含むことを特徴とする、請求項１から５のいずれかに記載のスポイト式化粧品容器。
【請求項７】
前記ワイパーが、前記本体の下部に向かって内部に延長され、前記スポイト管の外周面に接触するように底面中央部に穴が開いた円筒状を呈していることを特徴とする、請求項６に記載のスポイト式化粧品容器。
【請求項８】
前記ワイパーが、前記開口部の周縁部に結合される結合部を含むことを特徴とする、請求項７に記載のスポイト式化粧品容器。
【請求項９】
前記本体における前記開口部ではない内周面に結合され、中央部に穴が開いた円盤状の補助ワイパーをさらに含むことを特徴とする、請求項８に記載のスポイト式化粧品容器。
【請求項１０】
前記ワイパーが、前記本体の内周面に結合される結合部を含むことを特徴とする、請求項８に記載のスポイト式化粧品容器。
【請求項１１】
前記ワイパーが、前記本体の下部に向かって内部に延長され、前記スポイト管の外周面に接触するように底面中央部に放射状に切開された複数の切開部を含むことを特徴とする、請求項７に記載のスポイト式化粧品容器。
【請求項１２】
前記ワイパーが、 前記本体の下部に向かって内部に延長され、前記スポイト管の外周面に接触するように底面中央部に穴が開いた円錐状を呈していることを特徴とする、請求項７に記載のスポイト式化粧品容器。
【請求項１３】
前記ワイパーが、 前記スポイト管の外周面に残留する化粧品が自重により前記ワイパーの下部にさらに回収されるように、側面に所定の間隔で穿設された化粧品回収部がをさらに含むことを特徴とする、請求項１２に記載のスポイト式化粧品容器。
【発明の詳細な説明】
【技術分野】
【０００１】
本発明は、スポイト式化粧品容器に係り、さらに詳しくは、スポイト方式で化粧品を定量抽出するときに容器本体内の化粧品をスポイト管内に吸い上げる構造、およびスポイト管を容器本体から引き出す構造を改善した、スポイト式化粧品容器に関する。
【背景技術】
【０００２】
高機能性化粧品、例えばエッセンスやアイクリーム、老化および皺防止剤などは、一般に内容物が高価で包装単位が少量である。よって、それらを収容する既存の化粧品容器の大部分がコンパクトなサイズである。
【０００３】
このような化粧品容器は基本的に容器体と栓体から構成される。該化粧品容器の場合は、使用の際には容器の流出孔から内容物を手に出して該当皮膚に塗り付けるため、吐出量の調節が難しく、手に付着して浪費される量だけ高価な内容物が損失してしまうという欠点がある。
【０００４】
かかる点を考慮し、スポイト(spuit)方式で内容物を定量抽出して該当皮膚に塗り付けることができるようなスポイト式化粧品容器が開発され、普及している。
【０００５】
従来のスポイト式化粧品容器１０は、図１に示すように、内部に化粧品が収容される容器本体２０と、容器本体２０を閉塞し、容器本体２０内に挿入可能に設けられたスポイト３０とを含んでなる。
【０００６】
容器本体２０の開口部２１の外周面には、スポイト３０と螺合されるように雄ネジ部２１ａが設けられる。スポイト３０は、雄ネジ部２１ａに対応するように雌ネジ部３１ａが設けられたキャップ部３１と、キャップ部３１に結合され、開口部２１を介して容器本体２０の内部に対して出入りするスポイト管３３と、キャップ部３１の上部に離隔して設けられた押しボタン３５と、押しボタン３５とキャップ部３１との間に設けられるバネなどの弾性部材３７とを含む。
このような従来のスポイト式化粧品容器１０は、使用の際に使用者がスポイト３０を容器本体２０に結合し、押しボタン３５を１回押した後、スポイト３０を回して容器本体２０から分離し、さらに押しボタン３５を押さなければならないので、使用操作が複雑で不便であるという問題点がある。
また、使用者によっては、性急に、容器本体２０に収容された化粧品をスポイト管３３内に吸い上げるために、スポイト３０が容器本体２０に完全に結合される前に押しボタン３５を押すこともあり、この場合はスポイト管３３に化粧品が定量集められなくなるという問題点がある。
さらに、このような従来のスポイト式化粧品容器１０は、スポイト３０によって化粧品を抽出し、該スポイトを容器本体２０から引き出すとき、スポイト管３３に化粧品が付着して化粧品が損失するおそれがあるという問題点がある。
【０００７】
その上、スポイト管３３に化粧品が付着している状態で容器本体２０からスポイト管３３を引き出した後には、使用者の衣服や肌に化粧品が付着するおそれがあるため、使用が不便であるという問題点もある。
【発明の概要】
【発明が解決しようとする課題】
【０００８】
そこで、本発明の目的は、スポイト方式で化粧品を抽出するときに容器内の化粧品をスポイト管内に吸い上げる構造を改善することにより、スポイト式化粧品容器の使用操作を簡便にし、使用者の使用習慣とは関係なく常に一定の条件で容器本体内の化粧品をより定量的に吐出するようにし、且つスポイト管への化粧品付着を最小化することができるようにしたスポイト式化粧品容器を提供することにある。
【課題を解決するための手段】
【０００９】
上記目的は、開口部を有する本体と、前記開口部を介して前記本体の内部に対して出入りするスポイト管を有し、前記本体に螺合されるスポイトとを含むスポイト式化粧品容器において、前記スポイトは、前記スポイト管が結合されたキャップ部と、前記キャップ部の上部に離隔して設けられた出没式ボタンと、前記出没式ボタンと前記キャップ部との間に設けられた弾性部材と、前記出没式ボタンを取り囲むように設けられたカム部とを含んでなり、前記出没式ボタンおよび前記カム部のいずれか一方にはカム突起が設けられ、他方には前記カム突起を斜め方向に案内する斜め案内部が設けられることにより、前記キャップ部の回転を前記出没式ボタンの昇降に転換することを特徴とする、スポイト式化粧品容器によって達成される。
【００１０】
ここで、前記カム突起は前記出没式ボタンに設けられ、前記斜め案内部は前記カム部に設けられることが好ましい。
【００１１】
前記キャップ部は、前記本体との螺合のために前記キャップ部が回転すると、前記カム突起が前記斜め案内部によって案内されるにつれて前記カム突起を垂直方向に案内する垂直案内部が設けられた内部キャップと、前記内部キャップとの間に前記カム部が備えられるように前記カム部を取り囲んで前記内部キャップに結合された外部キャップとを含んでなることが好ましい。
【００１２】
前記弾性部材はバネを含むことが好ましい。
【００１３】
前記弾性部材はゴム、ＮＢＲ(Nitrile-Butadiene Rubber)およびシリコンのいずれか一つの弾性材質であてもよい。
【００１４】
前記本体に設けられ、前記スポイト管に付着した化粧品を拭き取るワイパー(wiper)をさらに含んでもよい。
【００１５】
前記ワイパーは、前記本体の下部に向かって内部に延長されるが、前記スポイト管の外周面に接触するように底面中央部に穴が開いた円筒状を呈していてもよい。
【００１６】
前記ワイパーは、前記開口部の周縁部に結合される結合部を含んでもよい。
【００１７】
前記本体における前記開口部ではない内部に結合され、中央部に穴が開いた円盤状の補助ワイパーをさらに含んでもよい。
【００１８】
前記ワイパーは、前記本体の内周面に結合される結合部を含んでもよい。
【００１９】
前記ワイパーは、前記本体の下部に向かって内部に延長されるが、前記スポイト管の外周面に接触するように底面中央部に放射状に切開された複数の切開部を含んでもよい。
【００２０】
前記ワイパーは、前記本体の下部に向かって内部に延長されるが、前記スポイト管の外周面に接触するように底面中央部に穴が開いた円錐状を呈していてもよい。
【００２１】
前記ワイパーは、前記スポイト管の外周面に残留する化粧品が自重により前記ワイパーの下部にさらに回収されるように、側面に一定の間隔で穿設された化粧品回収部をさらに含んでもよい。
【発明の効果】
【００２２】
本発明によれば、スポイトを容器本体に螺合するときは一定の回転角度以上からは容器本体に収容された化粧品をスポイト管内に吸い上げるように出没式ボタンが自動下降し、スポイトを容器本体から分離するときはそれに伴って出没式ボタンが自動上昇して、スポイト管内に吸い上げられた化粧品がそのまま保持されることにより、使用操作を簡便にすることができる。
【００２３】
また、本発明によれば、出没式ボタンが自動昇降する行程距離が一定になることにより、容器本体に収容された化粧品をより定量的に吐出させることができる。
【００２４】
また、本発明によれば、スポイト管への化粧品付着を最小化することにより、化粧品の損失を最小化することができる。
【００２５】
また、本発明によれば、スポイトが引き出された後に使用者の衣服や肌に化粧品がつくのを防ぐにより、使用を便利にすることができる。
【図面の簡単な説明】
【００２６】
【図１】従来のスポイト式化粧品容器の断面構成図である。
【図２】本発明に係るスポイト式化粧品容器にワイパーがない状態の断面構成図である。
【図３】図２の分離斜視図である。
【図４】図２のスポイト式化粧品容器の作動状態を示す結合斜視図である。
【図５】図２のスポイト式化粧品容器の弾性部材の別の実施例を示す断面構成図である。
【図６】本発明の第１実施例に係るスポイト式化粧品容器の断面構成図である。
【図７】図６のワイパーの斜視図である。
【図８】本発明の第２実施例に係るワイパーの斜視図である。
【図９】本発明の第３実施例に係るワイパーの斜視図である。
【図１０】本発明の第４実施例に係るスポイト式化粧品容器の断面構成図である。
【図１１】本発明の第５実施例に係るスポイト式化粧品容器の断面構成図である。
【図１２】図１１の補助ワイパーの斜視図である。
【発明を実施するための形態】
【００２７】
以下、添付図面を参照して本発明について詳細に説明する。 
【００２８】
本発明に係るスポイト式化粧品容器１００は、図２に示すように、内部に化粧品が収容され、上端部に開口部１１１を有する本体１１０と、本体１１０内に一部が挿入可能に設けられ、開口部１１１を閉塞するように本体１１０に螺合されるスポイト１２０とを含んでなる。
【００２９】
本体１１０は、図２および図３に示すように、スポイト１２０に螺合されるように開口部１１１の外周面に設けられた雄ネジ部１１１ａを含む。
【００３０】
スポイト１２０は、図２に示すように、キャップ部１３０と、キャップ部１３０に結合され、開口部１１１を介して本体１１０の内部に対して出入りするスポイト管１４０と、キャップ部１３０の上部に離隔して設けられた出没式ボタン１５０と、出没式ボタン１５０とキャップ部１３０との間に設けられた弾性部材１６０と、出没式ボタン１５０を取り囲むように設けられたカム部１７０とを含む。
【００３１】
本発明に係るスポイト１２０は、図２および図３に示すように、出没式ボタン１５０およびカム部１７０のいずれか一方にはカム突起１５１が設けられ、他方にはカム突起１５１を斜め方向に案内する斜め案内部１７０ａが設けられることにより、キャップ部１３０の回転を出没式ボタン１５０の昇降に転換する。
【００３２】
これにより、図４に示すように、スポイト１２０を本体１１０に螺合するときに出没式ボタン１５０が垂直に下降してスポイト管１４０内の空気を本体１１０の内部へ排出する。その後、本体１１０に螺合されたスポイト１２０を本体１１０から分離するにつれて出没式ボタン１５０が弾性部材１６０の弾性復元力により上昇する過程で、スポイト管１４０内に化粧品が吸い上げられる。
【００３３】
本発明の一実施例として、図３に示すように、カム突起１５１は出没式ボタン１５０に設けられ、斜め案内部１７０ａはカム部１７０に設けられることが好ましい。斜め案内部１７０ａは、カム部１７０の内側面に突設され、その下部面にカム突起１５１が当接することが好ましい。本発明の一実施例として、斜め案内部１７０ａは屈曲のない斜線状を成すように設けられると説明するが、本発明の他の実施例として、斜め案内部１７０ａは、階段式の斜線状を成すように設けられてもよく、カム部１７０の内側面に凹設または穿設されてもよい。
【００３４】
キャップ部１３０は、図２および図３に示すように、スポイト管１４０が結合され、雄ネジ部１１１ａに対応するように雌ネジ部１３１ａが設けられた内部キャップ１３１と、内部キャップ１３１との間にカム部１７０が備えられるようにカム部１７０を取り囲みながら内部キャップ１３１に結合された外部キャップ１３３とを含む。
【００３５】
内部キャップ１３１は、図３に示すように、本体１１０との螺合のためにキャップ部１３０が回転すると、カム突起１５１が斜め案内部１７０ａによって案内されるにつれてカム突起１５１を垂直方向に案内するように穿設された垂直案内部１３１ｂと、スポイト管１４０が直接結合されるスポイト管装着部１３１ｃとを含む。
【００３６】
これにより、図２〜図４に示すように、本体１１０にスポイト１２０を結合するためにスポイト管１４０を開口部１１１を介して本体１１０に挿入し、スポイト１２０の雌ネジ部１３１ａを本体１１０の雄ネジ部１１１ａに対応させた状態で使用者が最外側の外部キャップ１３３を回すと、外部キャップ１３３に結合された内部キャップ１３１は回転するが、カム部１７０は相対的に固定されるので、出没式ボタン１５０に設けられたカム突起１５１がカム部１７０の斜め案内部１７０ａによって斜め方向に案内されると同時に内部キャップ１３１の垂直案内部１３１ｂに沿って下方に移動することにより、使用者が出没式ボタン１５０を直接押さなくても出没式ボタン１５０を徐々に下降させることができる。
【００３７】
スポイト管装着部１３１ｃは、図３に示すように、出没式ボタン１５０の昇降に伴ってスポイト管１４０内の空気が出入りしてスポイト管１４０内の圧力が加圧または減圧されるように、上部は中空円筒状をしていることが好ましい。
【００３８】
本発明の一実施例として、生産組立の容易性のためにスポイト管装着部１３１ｃを分離型にすると説明するが、本発明の別の実施例として、スポイト管装着部１３１ｃは、雌ネジ部１３１ａを有する内部キャップ１３１のボディと一体に設けられてもよい。出没式ボタン１５０も、生産組立の容易性のために分離可能に多数の要素からなると説明するが、一体的に設けられてもよい。
【００３９】
弾性部材１６０は、図２および図３に示すように、出没式ボタン１５０と内部キャップ１３１との間に備えられ、バネのような要素からなることが好ましい。
【００４０】
これにより、外部キャップ１３３を完全に回して出没式ボタン１５０が下降し切った後、スポイト管１４０を本体１１０から引き出すためにさらに外部キャップ１３３を反対方向に回すと、内部キャップ１３１の雌ネジ部１３１ａが本体１１０の雄ネジ部１１１ａから分離される間、出没式ボタン１５０の下降により圧縮されていた弾性部材１６０は、弾性復元力によってその形状が徐々に復元するのに伴って出没式ボタン１５０を元の位置に上昇させることができる。
【００４１】
本発明の一実施例として、図２に示すように、弾性部材１６０は金属やプラスチックなどの多様な材質で出来たバネであると説明するが、本発明の別の実施例として、図５に示すように、弾性部材１６０は、ＮＢＲ(Nitrile-Butadiene Rubber)などのゴムまたはシリコンの弾性材質からなる部材であってもよい。この場合、弾性部材１６０の形状は、様々なものがあるが、蛇腹形状であることが好ましい。また、弾性部材１６０は、出没式ボタン１５０とは別個の構成要素になっていると説明するが、出没式ボタン１５０と一体に設けられてもよい。すなわち、弾性部材１６０と出没式ボタン１５０はゴムまたはシリコンなどの多様な種類の弾性材質から一体に設けられてもよい。
【００４２】
以下、このような構成により、本発明に係るスポイト式化粧品容器１００を製作する過程を図２〜図４を参照して説明する。
【００４３】
まず、上端部に開口部１１１を有し、該開口部１１１の外周面に雄ネジ部１１１ａが設けられた本体１１０を用意する。
【００４４】
次いで、出没式ボタン１５０のカム突起１５１がカム部１７０の斜め案内部１７０ａに当接するようにカム部１７０が出没式ボタン１５０を取り囲むようにし、弾性部材１６０をカム部１７０の内部に挿入して一側が出没式ボタン１５０に接触するようにする。
【００４５】
その後、雌ネジ部１３１ａと垂直案内部１３１ｂが設けられた内部キャップ１３１にスポイト管１４０を結合し、カム部１７０の内側に内部キャップ１３１を挿入して弾性部材１６０の他側が内部キャップ１３１に接触するようにすると同時にカム部１７０が内部キャップ１３１を取り囲むようにする。
【００４６】
最後に、カム部１７０および内部キャップ１３１を外部キャップ１３３の内側に挿入することにより、外部キャップ１３３がカム部１７０を取り囲むようにすると同時に外部キャップ１３３と内部キャップ１３１とを結合する。
【００４７】
これにより、完成したスポイト１２０が本体１１０に螺合されるようにスポイト１２０の外部キャップ１３３を回すと、スポイト１２０を本体１１０に螺合するときにスポイト管１４０内の空気を本体１１０の内部へ排出し、本体１１０に収容された化粧品をスポイト管１４０内に吸い上げるように出没式ボタン１５０が自動下降する。
【００４８】
また、スポイト１２０を本体１１０から分離するにつれて出没式ボタン１５０が自動上昇することにより、スポイト管１４０内に化粧品を吸い上げることができるため、使用操作を簡便にすることができる。
【００４９】
また、出没式ボタン１５０が自動昇降する行程距離が一定になることにより、本体１１０に収容された化粧品をより定量的に吐き出すことができる。
【００５０】
一方、本発明に係るスポイト式化粧品容器１００は、図６に示すように、本体１１０に備えられ、スポイト管１４０に付着した化粧品を拭き取るワイパー(wiper)１８０をさらに含むことが好ましい。
【００５１】
ワイパー１８０の実施例としてはいろいろなものがある。よって、以下では添付された他の図面を参照してワイパー１８０の様々な実施例について詳細に説明する。
【００５２】
説明に先立って、様々な実施例において、同一の構成要素については同一の参照番号を付したこと、また、同一の構成要素については第１実施例で代表的に説明し、他の実施例では省略できることを付言する。
【００５３】
（第１実施例）
本発明の第１実施例に係るスポイト式化粧品容器１００のワイパー１８０は、図６および図７に示すように、本体１１０の下部に向かって内部に延長されるが、スポイト管１４０の外周面に接触するように底面中央部に開いた穿孔部１８１ａを有する円筒状のワイパーボディ１８１と、ワイパーボディ１８１に設けられ、本体１１０の開口部１１１の周縁部に結合される結合部１８３と、ワイパーボディ１８１の穿孔部１８１ａの終端部を構成し、スポイト管１４０の外周面に直接接触する接触部１８５とを含む。
【００５４】
ワイパー１８０の結合部１８３は、ワイパーボディ１８１と一体に設けられると説明するが、ワイパーボディ１８１とは別個に設けられてワイパーボディ１８１に結合されてもよい。
【００５５】
一方、ワイパーの接触部１８５は、断面が垂直な形状に設けられると説明するが、断面が傾斜した形状、またはラウンド形状に設けられてもよい。
【００５６】
これにより、本体１１０からスポイト１２０を引き出すときにスポイト管１４０への化粧品付着を最小化することにより、化粧品の損失を最小化することができる。
【００５７】
以下、このような構成により、本発明の第１実施例に係るスポイト式化粧品容器１００から化粧品を定量抽出するときにスポイトを引き出す過程について、図６および図７を参照して説明する。
【００５８】
まず、使用者が本体１１０とスポイト１２０とを結合させるようにキャップ部１３０を回すと、一定の回転角度以上からは出没式ボタン１５０が下降しながら自動的に押されてスポイト管１４０内の空気を本体１１０の内部へ排出する。
【００５９】
次いで、スポイト１２０の出没式ボタン１５０が押された状態でキャップ部１３０を開放方向に回すと、出没式ボタン１５０が徐々に上昇しながら本体１１０内の化粧品をスポイト管１４０内に吸い上げる。
【００６０】
その後、スポイト管１４０内に吸い上げられた化粧品を使用するために、本体１１０とスポイト１２０とを分離する。
【００６１】
この際、スポイト管１４０の端部が本体１１０の開口部１１１に向かって移動するように、スポイト管１４０はワイパー１８０の穿孔部１８１ａを介してワイパー１８０の上部に抜き出され、ワイパー１８０の接触部１８５がスポイト管１４０の外周面に直接接触することにより、スポイト管１４０の外周表面に付着している化粧品はワイパー１８０によって拭き取られる。
【００６２】
これにより、スポイト管１４０への化粧品付着を最小化することにより、化粧品の損失を最小化することができるとともに、スポイト１２０が引き出された後に使用者の衣服や肌に化粧品がつくのを防ぐことにより、使用を便利にすることができる。
【００６３】
（第２実施例）
本発明の第２実施例に係るスポイト式化粧品容器１００は、図８に示すように、ワイパー１８０が本体１１０の下部に向かって内部に延長されるが、スポイト管１４０の外周面に接触するようにワイパーボディ１８１の底面中央部に放射状に切開された複数の切開部１８１ｂを含むことが、第１実施例との相違点である。
【００６４】
これにより、ワイパーボディ１８１の底面に切開部１８１ｂのみを備えることにより、より容易な方法でワイパー１８０を設けることができ、切開部１８１ｂが穿孔部１８１ａと接触部１８５の機能を併せ持つことにより、簡単な構造でワイパー１８０を設けることができる。また、穿孔部１８１ａの形成による材料の浪費を減らすことができる。
【００６５】
図８に説明されていない構成は、第１実施例と同様なので、詳細な説明を省略する。
【００６６】
（第３実施例）
本発明の第３実施例に係るスポイト式化粧品容器１００は、図９に示すように、ワイパー１８０が本体１１０の下部に向かって内部に延長されるが、スポイト管１４０の外周面に接触するように底面中央部に穴が開いた円錐状をしており、スポイト管１４０の外周面に残留する化粧品が自重によりワイパー１８０の下部にさらに回収されるように、ワイパーボディ１８１の側面に所定の間隔で穿設された化粧品回収部１８１ｃをさらに含むことが、第１実施例または第２実施例との相違点である。
【００６７】
これにより、スポイト管１４０の外周面がワイパー１８０によって拭き取られた後、スポイト管１４０の外周面に残留する化粧品を化粧品回収部１８１ｃを介してさらに回収することにより、化粧品の損失をさらに最小化することができる。
【００６８】
図９に説明されていない構成は、第１実施例または第２実施例と同様なので、詳細な説明を省略する。
【００６９】
（第４実施例）
本発明の第４実施例に係るスポイト式化粧品容器１００は、図１０に示すように、ワイパー１８０の結合部１８３が本体１１０における開口部１１１ではない内部に結合されることが、第１実施例ないし第３実施例のいずれか一つとの相違点である。
【００７０】
ワイパー１８０の結合部１８３は、本体１１０の内部に設けられたワイパー安着部１１１ｂに安着され、結合部１８３の上部から挿入されるリング状の開口部材１１３によって固定されることが好ましい。
【００７１】
これにより、ワイパー１８０の結合部１８３が外部に露出しなくなることにより外観がさらに美麗になり、ワイパー１８０が本体１１０から容易に分離されるのを防ぐことができる。
【００７２】
図１０に説明されていない構成は、第１実施例ないし第３実施例のいずれか一つと同様なので、詳細な説明を省略する。
【００７３】
（第５実施例）
本発明の題５実施例に係るスポイト式化粧品容器１００は、図１１および図１２に示すように、本体１１０における開口部１１１ではない内部に結合され、中央部に穴が開いた円盤状の補助ワイパー１９０をさらに含むことが、第１実施例ないし第４実施例のいずれか一つとの相違点である。
【００７４】
補助ワイパー１９０は、本体１１０の内周面に設けられた補助ワイパー結合溝１１１ｃに結合され、本体１１０の内部に複数設けられてもよい。
【００７５】
これにより、スポイト管１４０が本体１１０から引き出されるときに補助ワイパー１９０とワイパー１８０によって繰り返し拭き取られることにより、スポイト管１４０の外周面に付着した化粧品をさらに綺麗に拭き取られることができる。
【００７６】
図１１および図１２に説明されていない構成は、第１実施例ないし第４実施例のいずれか一つと同様なので、詳細な説明を省略する。
【００７７】
以上のことから、本発明によれば、スポイト管１４０への化粧品付着を最小化することにより、化粧品の損失を最小化することができる。
【００７８】
前記各実施例は、場合に応じて、少なくとも２つの実施例を組み合わせて適用してもよい。
【００７９】
以上、本発明の実施例について説明した。本発明の属する技術分野における通常の知識を有する者は、本発明がその技術的思想や必須的特徴を変更することなく他の具体的な形態で実施できることを理解することができるであろう。よって、上述した実施例は全ての面において例示的なもので、限定的なものではないと理解すべきである。本発明の範囲は前述した詳細な説明よりは後述の請求の範囲によって示され、請求の範囲の意味および範囲、そしてその等価概念から導出される全ての変更または変形された形態は本発明の範囲に含まれるものと解釈しなければならない。
【図１】
2014505493.tif 000003
【図２】
2014505493.tif 000004
【図３】
2014505493.tif 000005
【図４】
2014505493.tif 000006
【図５】
2014505493.tif 000007
【図６】
2014505493.tif 000008
【図７】
2014505493.tif 000009
【図８】
2014505493.tif 000010
【図９】
2014505493.tif 000011
【図１０】
2014505493.tif 000012
【図１１】
2014505493.tif 000013
【図１２】
2014505493.tif 000014
【国際調査報告】
2014505493.tif 000015
2014505493.tif 000016
2014505493.tif 000017
2014505493.tif 000018